(57)【要約】【課題】ブラシをブローチの刃溝の奥まで進入させることにより、刃溝内に付着した切屑を効率的に除去することができるブローチ切屑除去装置及びブローチ切屑除去方法を提供する。【解決手段】切れ刃１２がその軸方向に等間隔に多段に設けられるブローチ１１から切屑を除去するブローチ切屑除去装置において、ブローチ１１をその軸方向に移動させるブローチ移動用モータ２２と、切れ刃１２間のピッチと同じリードでねじ状に植設され、その切れ刃１２間に形成される刃溝１３と噛み合い可能なブラシ３３と、ブラシ３３をその軸心周りに回転させるブラシ回転用モータ４１と、刃溝１３とブラシ３３とが噛み合うように、ブローチ移動用モータ２２及びブラシ回転用モータ４１を制御するＮＣ装置５１とを備える。【選択図】図３
2011156624.tif 000002
【特許請求の範囲】
【請求項１】
切れ刃がその軸方向に等間隔に多段に設けられるブローチから切屑を除去するブローチ切屑除去装置において、
前記ブローチをその軸方向に移動させるブローチ移動手段と、
前記切れ刃間のピッチと同じリードでねじ状に植設され、前記切れ刃間に形成される刃溝と噛み合い可能なブラシと、
前記ブラシをその軸心周りに回転させるブラシ回転手段と、
前記刃溝と前記ブラシとが噛み合うように、前記ブローチ移動手段及び前記ブラシ回転手段を制御する制御手段とを備える
ことを特徴とするブローチ切屑除去装置。
【請求項２】
切れ刃がその軸方向に等間隔に多段に設けられるブローチから切屑を除去するブローチ切屑除去方法において、
前記切れ刃間に形成される刃溝と、前記切れ刃間のピッチと同じリードでねじ状に植設されたブラシとが、噛み合うように、前記ブローチの軸方向の移動と、前記ブラシの軸心周りの回転とを同期させ、前記刃溝内に付着した切屑を除去する
ことを特徴とするブローチ切屑除去方法。
【発明の詳細な説明】
【技術分野】
【０００１】
本発明は、ブローチの刃溝内に付着した切屑を除去することができるブローチ切屑除去装置及びブローチ切屑除去方法に関する。
【背景技術】
【０００２】
従来から、ワークの内周面や表面に対して、所定形状の溝を、その軸方向に高精度で、且つ、高能率に加工する方法として、ブローチ加工が知られている。このブローチ加工では、ブローチと呼ばれる、前端側から後端側に向かうに従って大きさを漸次増大した多数の切れ刃を有する軸状工具を、ワークの内周面や表面に押し当てながら、引き抜くか、または、押し込むことによって、ブローチの輪郭通りの溝を、ワンパスで加工することが可能となっている。
【０００３】
このため、ブローチはワークを切削加工するものであるから、その加工時には、切屑が発生することになる。そして、ブローチの切れ刃がその軸方向において多段に形成されているため、その切屑は、切削直後において、切れ刃間の刃溝（チップポケット）内に、カールした状態で付着することがある。このように、切屑が刃溝内に付着すると、次の加工時に、正確な溝を形成することができないだけでなく、切れ刃（刃溝）やワークの加工面を損傷させたり、ワークにばりを発生させたりするおそれがある。
【０００４】
そこで、従来から、ブローチに対してブラシを擦動させることにより、その刃溝内に付着した切屑を除去する切屑除去装置が提供されている。このような、従来の切屑除去装置は、例えば、特許文献１に開示されている。
【先行技術文献】
【特許文献】
【０００５】
【特許文献１】実開昭６３−１２４４２０号公報
【発明の概要】
【発明が解決しようとする課題】
【０００６】
上記従来の切屑除去装置においては、本体外周面に植設したブラシを、ブローチの外周部に押し付けた状態で、ブラシを回転させると共に、ブローチをその軸方向に移動させることにより、刃溝内に付着した切屑を除去するようにしている。
【０００７】
しかしながら、従来の装置のように、ブラシを単にブローチの外周部に押し付けるようにした構成にすると、ブラシが切れ刃を乗り越えて刃溝内に進入するような動作を、繰り返し行うことになるため、このブラシが刃溝の奥まで届かないおそれがある。また、上述したブラシ動作が繰り返し行われると、ブラシに局所的な負荷が掛かるため、当該ブラシに曲げ癖が付き易くなるだけでなく、ブラシが摩耗しやすくなってしまう。これにより、従来の装置では、切屑除去性能が低下するため、切屑を完全に除去できないおそれがある。
【０００８】
従って、本発明は上記課題を解決するものであって、ブラシをブローチの刃溝の奥まで進入させることにより、刃溝内に付着した切屑を効率的に除去することができるブローチ切屑除去装置及びブローチ切屑除去方法を提供することを目的とする。
【課題を解決するための手段】
【０００９】
上記課題を解決する本発明に係るブローチ切屑除去装置は、
切れ刃がその軸方向に等間隔に多段に設けられるブローチから切屑を除去するブローチ切屑除去装置において、
前記ブローチをその軸方向に移動させるブローチ移動手段と、
前記切れ刃間のピッチと同じリードでねじ状に植設され、前記切れ刃間に形成される刃溝と噛み合い可能なブラシと、
前記ブラシをその軸心周りに回転させるブラシ回転手段と、
前記刃溝と前記ブラシとが噛み合うように、前記ブローチ移動手段及び前記ブラシ回転手段を制御する制御手段とを備える
ことを特徴とする。
【００１０】
上記課題を解決する本発明に係るブローチ切屑除去方法は、
切れ刃がその軸方向に等間隔に多段に設けられるブローチから切屑を除去するブローチ切屑除去方法において、
前記切れ刃間に形成される刃溝と、前記切れ刃間のピッチと同じリードでねじ状に植設されたブラシとが、噛み合うように、前記ブローチの軸方向の移動と、前記ブラシの軸心周りの回転とを同期させ、前記刃溝内に付着した切屑を除去する
ことを特徴とする。
【発明の効果】
【００１１】
従って、本発明に係るブローチ切屑除去装置及びブローチ切屑除去方法によれば、ブローチの刃溝とブラシとが噛み合うように、ブローチの軸方向の移動とブラシの軸心周りの回転とを制御することにより、ブラシを刃溝の奥まで進入させることができるので、当該刃溝内に付着した切屑を効率的に除去することができる。
【図面の簡単な説明】
【００１２】
【図１】本発明の一実施例に係るブローチ切屑除去装置の正面図である。
【図２】本発明の一実施例に係るブローチ切屑除去装置の側面図である。
【図３】回転ブラシによるブローチに対する切屑除去動作を示した図である。
【発明を実施するための形態】
【００１３】
以下、本発明に係るブローチ切屑除去装置及びブローチ切屑除去方法について、図面を用いて詳細に説明する。
【実施例】
【００１４】
図１及び図２に示すブローチ切屑除去装置は、加工後のブローチ１１に付着した切屑を、回転ブラシ３１を用いて除去する装置である。
【００１５】
ブローチ１１は、図示しないワークの表面に対して、所定形状の溝をその軸方向に切削加工する、所謂、内面ブローチ削りに使用されるものである。このブローチ１１の側面には、前端側から後端側に向かうに従って高さ寸法を漸次増大させた多数の切れ刃１２が、所定のピッチ間隔で設けられており、更に、各切れ刃１２間には、刃溝（チップポケット）１３が形成されている（図３参照）。
【００１６】
そして、ブローチ１１は、ホルダ２１の側部に嵌合されており、このホルダ２１には、ボールねじ機構等を介して、ブローチ移動用モータ（ブローチ移動手段）２２が接続されている。従って、ブローチ移動用モータ２２を駆動させることにより、ブローチ１１をその軸方向に進退可能に移動させることができる。
【００１７】
一方、回転ブラシ３１は、円筒状または円柱状の本体３２と、この本体３２の外周面にねじ状（螺旋状）に植設されたブラシ３３とから構成されている。このブラシ３３は、ある程度の剛性を有するナイロン製のものであって、ブローチ１１における切れ刃１２間（刃溝１３間）のピッチと同じリード（１回転当たりの軸方向への進み量）で、ねじ状に配置されている。
【００１８】
また、回転ブラシ３１における本体３２の一端面には、ブラシ回転用モータ（ブラシ回転手段）４１が接続されている。従って、ブラシ回転用モータ４１を駆動させることにより、回転ブラシ３１をその軸心周りに回転させることができる。
【００１９】
更に、ブローチ移動用モータ２２及びブラシ回転用モータ４１には、これらの移動及び回転を制御するＮＣ装置（制御手段）５１が接続されている。即ち、ＮＣ装置５１は、ブローチ移動用モータ２２及びブラシ回転用モータ４１を制御して、ブローチ１１の刃溝１３と回転ブラシ３１のブラシ３３とが噛み合うように、ブローチ１１の軸方向の移動（移動速度）と、回転ブラシ３１の軸心周りの回転（回転速度）とを同期させるようになっている。
【００２０】
これにより、ブローチ１１から切屑を除去する場合には、先ず、加工後のブローチ１１を、所定の退避位置に配置されたホルダ２１に固定する。次いで、図１及び図２に示すように、ブローチ１１が固定されたホルダ２１を、所定の切屑除去開始位置に移動させる。
【００２１】
そして、ブローチ移動用モータ２２を駆動させ、ブローチ１１をその軸方向に移動させると共に、ブラシ回転用モータ４１を駆動させ、回転ブラシ３１をその軸心周りに回転させる。このとき、ＮＣ装置５１によって、ブローチ１１の刃溝１３と回転ブラシ３１のブラシ３３とが噛み合うように、ブローチ１１の軸方向の移動と回転ブラシ３１の軸心周りの回転とが同期制御される。これにより、図３に示すように、ブラシ３３が刃溝１３の奥まで進入するため、当該刃溝１３内に付着した切屑は、効率的に除去されることになる。
【００２２】
次いで、ブローチ１１が固定されたホルダ２１が、所定の切屑除去完了位置まで移動すると、全ての刃溝１３内に付着した切屑が除去されることになり、回転ブラシ３１の切屑除去動作が完了する。
【００２３】
従って、本発明に係るブローチ切屑除去装置及びブローチ切屑除去方法によれば、ＮＣ装置５１によって、ブローチ１１の刃溝１３と回転ブラシ３１のブラシ３３とが噛み合うように、ブローチ１１の軸方向の移動と回転ブラシ３１の軸心周りの回転とを同期制御することにより、ブラシ３３を刃溝１３の奥まで進入させることができるので、当該刃溝１３内に付着した切屑を効率的に除去することができる。
【００２４】
また、ブラシ３３が、切れ刃１２を乗り越えることなく、刃溝１３だけに直接進入することになるので、ブラシ３３への局所的な負荷を防止することができる。これにより、ブラシ３３の大きな曲げ癖や摩耗を抑えることができるので、ブラシ寿命の長期化を図ることができる。更に、刃溝１３内に付着した切屑を確実に除去することができるため、次の加工時において、ワーク表面の損傷を抑えることができるだけでなく、切れ刃１２や刃溝１３の損傷を抑えることができるので、工具寿命の長期化も図ることができる。
【産業上の利用可能性】
【００２５】
本発明は、ブローチから落ちた切屑を、飛散させずに所定の回収場所に誘導するブローチ切屑除去装置に適用可能である。
【符号の説明】
【００２６】
１１      ブローチ
１２      切れ刃
１３      刃溝
２１      ホルダ
２２      ブローチ移動用モータ
３１      回転ブラシ
３２      本体
３３      ブラシ
４１      ブラシ回転用モータ
５１      ＮＣ装置
【図１】
2011156624.tif 000003
【図２】
2011156624.tif 000004
【図３】
2011156624.tif 000005